(57)【要約】【課題】表示が見やすく、低コストで実現できる反射型表示装置を照明する照明装置。【解決手段】電気泳動表示装置１を照明するための照明装置２は出光面２２ａが略線状を成す線状光源２２並びにアクリル樹脂から成り反射機能を有する透明なカバー体２１から構成されている。カバー体２１は電気泳動表示装置１の表示面１ａと同じ平面形状を有して表示面１ａに対して傾けて配設してあり、電気泳動表示装置１とカバー体２１との隙間３は一方の開口面３ａの高さｈ１が反対側の開口面３ｂの高さｈ２より大きくなっている。線状光源２２は単個又は複数個の発光ダイオード素子（ＬＥＤ）２３により構成されており、隙間３の内部に向かって光を照射するように出光面２２ａが開口面３ａの近傍に開口面３ａの長手方向に延在するように配設されている。【選択図】図１
2007257932.tif 000002
【特許請求の範囲】
【請求項１】
矩形形状の反射型表示装置を照明する照明装置であって、線状光源と、反射機能を有する透明なカバー体とから成り、このカバー体は前記反射型表示装置の表示面側に、一方の開口面の高さが反対側の開口面の高さより大きくなる隙間を設けて傾けて配設するとともに、前記線状光源は出光面から前記隙間の内部に向かって光を照射するように前記出光面が前記一方の開口面の近傍に前記開口面の長手方向に延在するように配設したことを特徴とする反射型表示装置を照明する照明装置。
【請求項２】
前記線状光源を配設してない側の前記照明装置の側面のうち、少なくとも前記隙間の側面を覆うように反射性の側壁を設けたことを特徴とする請求項１記載の反射型表示装置を照明する照明装置。
【請求項３】
前記反射型表示装置は電気泳動表示装置であることを特徴とする請求項１又は請求項２のいずれかに記載の反射型表示装置を照明する照明装置。
【請求項４】
前記線状光源は発光ダイオード素子により構成されていることを特徴とする請求項１乃至請求項３のいずれか一つに記載の反射型表示装置を照明する照明装置。
【請求項５】
前記カバー体は前記反射型表示装置を搭載する電子機器の表示窓を構成する外装カバー体を兼ねていることを特徴とする請求項１乃至請求項３のいずれか一つに記載の反射型表示装置を照明する照明装置。
【発明の詳細な説明】
【技術分野】
【０００１】
本発明は、電子ペーパ等の反射型表示装置のフロントライトに用いて好適な反射型表示装置を照明する照明装置に関する。
【背景技術】
【０００２】
従来、反射型表示装置として電気泳動技術を用いたものが知られている（例えば、特許文献１参照。）。そして、特許文献１の従来例にはフロントライトを設けた反射型表示装置の構成が記載されている。この表示装置の前面側から表示面を照らすようにしたフロントライトは光源と導光板とから構成されている。光源は導光板の一端側の縁部に設けられ、縁部長手方向に延在する棒状の光源である。導光板は表示装置の表示面と同程度の大きさを有し大きな屈折率を有する平板状の透明部材であり、光源と対向する端面を入射面とし、下面を出射面として構成されている。導光板の上面には光源と平行に延在する楔形の溝が形成されており、入射面から入射した光を出射面側へ誘導するようになっている。
【特許文献１】特開２００３−３４４８８１号公報（第２−３頁、図４）
【発明の開示】
【発明が解決しようとする課題】
【０００３】
しかし、前述のような従来のフロントライトでは導光板の表面に溝が形成されているために表示がゆがんで見ずらいし、楔形の溝を加工したりすることはコストアップにつながるものである。
【０００４】
上記発明は、このような従来の問題を解決するためになされたものであり、その目的は表示が見やすく、低コストで実現できる反射型表示装置を照明する照明装置を提供することである。
【課題を解決するための手段】
【０００５】
前記課題を解決するための本発明の手段は、矩形形状の反射型表示装置を照明する照明装置であって、線状光源と、反射機能を有する透明なカバー体とから成り、このカバー体は前記反射型表示装置の表示面側に、一方の開口面の高さが反対側の開口面の高さより大きくなる隙間を設けて傾けて配設するとともに、前記線状光源は出光面から前記隙間の内部に向かって光を照射するように前記出光面が前記一方の開口面の近傍に前記開口面の長手方向に延在するように配設したことを特徴とする。
【０００６】
また、前記線状光源を配設してない側の前記照明装置の側面のうち、少なくとも前記隙間の側面を覆うように反射性の側壁を設けたことを特徴とする。
【０００７】
また、前記反射型表示装置は電気泳動表示装置であることを特徴とする。
【０００８】
また、前記線状光源は発光ダイオード素子により構成されていることを特徴とする。
【０００９】
また、前記カバー体は前記反射型表示装置を搭載する電子機器の表示窓を構成する外装カバー体を兼ねていることを特徴とする。
【発明の効果】
【００１０】
以上説明したように、本発明によれば、矩形形状の反射型表示装置を照明する照明装置であって、線状光源と、反射機能を有する透明なカバー体とから成り、このカバー体は前記反射型表示装置の表示面側に、一方の開口面の高さが反対側の開口面の高さより大きく
なる隙間を設けて傾けて配設するとともに、前記線状光源は出光面から前記隙間の内部に向かって光を照射するように前記出光面が前記一方の開口面の近傍に前記開口面の長手方向に延在するように配設したので、全面均一な照明が可能な反射型表示装置を照明する照明装置を提供できることになった。
【００１１】
また、前記線状光源を配設してない側の前記照明装置の側面のうち、少なくとも前記隙間の側面を覆うように反射性の側壁を設けることにより、光源からの光を外に漏らさず表示面に照射することができ光利用効率を向上させることができる。
【００１２】
また、前記反射型表示装置が電気泳動表示装置であれば、表示装置自体が薄型なので照明装置と相俟って前記反射型表示装置を搭載する電子機器の薄型化軽量化に貢献することができる。
【００１３】
また、前記線状光源は発光ダイオード素子により構成されているので、明るさが十分で消費電力の少ない照明装置とすることができる。
【００１４】
また、前記カバー体は前記反射型表示装置を搭載する電子機器の表示窓を構成する外装カバー体を兼ねるようにすることにより、前記反射型表示装置が搭載される電子機器の薄型化軽量化に貢献することができる。
【発明を実施するための最良の形態】
【００１５】
以下、本発明の実施の形態を図面に基づいて詳細に説明する。図１は本発明の実施の形態である反射型表示装置を照明する照明装置の斜視図である。図２は図１のＡ−Ａ断面を示す断面図である。図３は本発明の実施の形態である反射型表示装置を照明する照明装置を組み込んだ電子機器の断面図である。
【００１６】
まず、本発明の実施の形態である反射型表示装置を照明する照明装置の構成について説明する。図１、図２において、電気泳動表示装置１は電気泳動技術を用いた矩形形状の反射型表示装置である。電気泳動表示装置１の構成は特許文献１に記載されたものと同様であるから詳細な説明は省略する。電気泳動表示装置１を照明するための照明装置２は出光面２２ａが略線状を成す線状光源２２並びにアクリル樹脂から成り反射機能を有する透明な板であるカバー体２１から構成されている。
【００１７】
カバー体２１は電気泳動表示装置１の表示面１ａと同じ平面形状を有して表示面１ａに対して角度αをつけて傾けて配設してあり、電気泳動表示装置１とカバー体２１との隙間３は一方の開口面３ａの高さｈ１が反対側の開口面３ｂの高さｈ２より大きくなっている。ここで角度αは線状光源２２から出射した光がカバー体２１下面全反射するように調整して設定する。線状光源２２は単個又は複数個の発光ダイオード素子（ＬＥＤ）２３により構成されており、隙間３の内部に向かって光を照射するように出光面２２ａが開口面３ａの近傍に開口面３ａの長手方向に延在するように配設されている。
【００１８】
電気泳動表示装置１及び照明装置２の線状光源２２を配設していない３方の側面には側壁２４が設けてある。側壁２４の内面は白色塗装面又は光沢金属面となっており反射性を有している。側壁２４は少なくとも照明装置２の隙間３の側面を覆うものであればよい。
【００１９】
図３において、照明装置２を備えた電気泳動表示装置１を搭載した電子機器４を示している。ここでカバー体２１は電子機器４の表示窓４ａを構成する外装カバー体を兼ねている。
【００２０】
次に、本発明の実施の形態である反射型表示装置を照明する照明装置の作用及び効果に
ついて説明する。ＬＥＤ２３から発した光は一部がカバー体２１側に向かい、カバー体２１下面で全反射して電気泳動表示装置１側に向かう。ＬＥＤ２３から発した光の一部は直接電気泳動表示装置１へ向かう。電気泳動表示装置１の表示面１ａに当った光は乱反射してカバー体２１を透過して使用者の目に届く。光はカバー体２１下面で全反射するので表示面１ａ全面に広がって均一に明るく照らすことになる。また、反射性の側壁２４を設けることによって、線状光源２２からの光が外に漏れるのを防ぐので表示面１ａを有効に照射する。また、カバー体２１が電子機器４の表示窓４ａを構成する外装カバー体を兼ねるようにすることにより、電子機器４の薄型化軽量化に貢献することができる。
【００２１】
なお、以上の説明の中で反射型表示装置は電気泳動表示装置としたが、フロントライトによって照明されることによって暗い中でも見える表示装置であれば必ずしもこれに限定されず、例えばそれは液晶表示装置であってもよい。
【図面の簡単な説明】
【００２２】
【図１】本発明の実施の形態である反射型表示装置を照明する照明装置の斜視図である。
【図２】図１のＡ−Ａ断面を示す断面図である。
【図３】本発明の実施の形態である反射型表示装置を照明する照明装置を組み込んだ電子機器の断面図である。
【符号の説明】
【００２３】
１  電気泳動表示装置
１ａ  表示面
１ｂ  側面
２  照明装置
３  隙間
３ａ、３ｂ  開口面
４  電子機器
４ａ表示窓
２１  カバー体
２２  線状光源
２２ａ  出光面
２３  ＬＥＤ
２４  側壁
ｈ１、ｈ２  高さ
【図１】
2007257932.tif 000003
【図２】
2007257932.tif 000004
【図３】
2007257932.tif 000005